(57)【特許請求の範囲】
【請求項１】
カセットガスボンベから燃料供給を受けるガスエンジンを搭載したガスエンジン搭載型作業機において、
前記カセットガスボンベの近傍に開閉自在に設けられ、閉じた状態で前記カセットガスボンベの一部を覆うガスボンベカバー部材を備え、
該ガスボンベカバー部材で覆う空間に、前記カセットガスボンベの口金部を取り付ける口金取付部を備え、
前記ガスボンベカバー部材に、前記カセットガスボンベの未装着時に前記ガスボンベカバー部材で覆った前記空間を塞ぐサブカバー部材を備え、
前記カセットガスボンベの未装着時に前記口金取付部を塞ぐシャッター部材を備えたことを特徴とするガスエンジン搭載型作業機。
【請求項２】
前記サブカバー部材は、前記カセットガスボンベの装着時に、前記カセットガスボンベのうち、前記ガスボンベカバー部材から露出された部位を押さえ付けるように形成されたことを特徴とする請求項１記載のガスエンジン搭載型作業機。
【発明の詳細な説明】
【技術分野】
【０００１】
本発明は、カセットガスボンベから燃料供給を受けるガスエンジンを搭載したガスエンジン搭載型作業機に関する。
【背景技術】
【０００２】
耕耘機のなかには、作業機本体にガスエンジンが搭載され、作業機本体からハンドルポストが後上方へ向けて延出され、ハンドルポストに沿って収納ケースが設けられ、収納ケースの蓋を開けてカセットガスボンベの全体が収納ケースに収納されるガスエンジン搭載型作業機がある（例えば、特許文献１参照。）。
【特許文献１】特開平１０−１３１８０９号公報
【０００３】
このガスエンジン搭載型作業機は、収納ケースの内部にカセットガスボンベの口金部を取り付ける口金取付部が設けられている。
よって、収納ケースに収納したカセットガスボンベの口金部を口金取付部に取り付けることができる。
【０００４】
さらに、このガスエンジン搭載型作業機によれば、カセットガスボンベの未装着時でも、収納ケースの蓋を閉じることで、収納ケースの内部空間を塞ぐことができる。
よって、カセットガスボンベの未装着状態において、収納ケース内の口金取付部に塵埃などの異物が侵入することを防ぐことは可能である。
【発明の開示】
【発明が解決しようとする課題】
【０００５】
特許文献１の収納ケースはカセットガスボンベの全体を収納するように形成されている。このため、収納ケースの構成が複雑になり、そのことがコストを抑える妨げになっていた。
この対策として、カセットガスボンベの全体を収納する収納ケースに代えて、カセットガスボンベの一部のみを覆うガスボンベカバー部材を備えることで簡素化を図ることは可能である。
【０００６】
しかし、カセットガスボンベの一部のみを収納するガスボンベカバー部材を備えた場合、カセットガスボンベの未装着時に、ガスボンベカバー部材の内部空間を塞ぐことができない。
このため、カセットガスボンベの未装着状態において、ガスボンベカバー部材内の口金取付部に塵埃などの異物が侵入してしまうことが考えられる。
【０００７】
本発明は、ガスボンベカバー部材の簡素化を図るとともに、カセットガスボンベの未装着状態において、口金取付部に塵埃などの異物が侵入することを防ぐことができるガスエンジン搭載型作業機を提供することを課題とする。
【課題を解決するための手段】
【０００８】
請求項１に係る発明は、カセットガスボンベから燃料供給を受けるガスエンジンを搭載したガスエンジン搭載型作業機において、前記カセットガスボンベの近傍に開閉自在に設けられ、閉じた状態で前記カセットガスボンベの一部を覆うガスボンベカバー部材を備え、該ガスボンベカバー部材で覆う空間に、前記カセットガスボンベの口金部を取り付ける口金取付部を備え、前記ガスボンベカバー部材に、前記カセットガスボンベの未装着時に前記ガスボンベカバー部材で覆った前記空間を塞ぐサブカバー部材を備え、前記カセットガスボンベの未装着時に前記口金取付部を塞ぐシャッター部材を備えたことを特徴とする。
【００１０】
請求項２において、前記サブカバー部材は、前記カセットガスボンベの装着時に、前記カセットガスボンベのうち、前記ガスボンベカバー部材から露出された部位を押さえ付けるように形成されたことを特徴とする。
【発明の効果】
【００１１】
請求項１に係る発明では、カセットガスボンベの一部を覆うガスボンベカバー部材を備えた。
これにより、ガスボンベカバー部材でカセットガスボンベの全体を覆う必要がないので、ガスボンベカバー部材の簡素化を図ることができるという利点がある。
【００１２】
さらに、ガスボンベカバー部材で覆う空間に、カセットガスボンベの口金部を取り付ける口金取付部を備え、ガスボンベカバー部材にサブカバー部材を備えた。このサブカバー部材は、カセットガスボンベの未装着時にガスボンベカバー部材で覆った空間（内部空間）を塞ぐことができる。
これにより、カセットガスボンベの未装着状態において、口金取付部に塵埃などの異物が侵入することを防ぐことができるという利点がある。
【００１３】
加えて、カセットガスボンベの未装着時に口金取付部を塞ぐシャッター部材を備えた。
よって、サブカバー部材でガスボンベカバー部材で覆った空間を塞ぐとともに、シャッター部材で口金取付部を塞ぐことが可能になり、口金取付部を塞ぐ構成を２重構造とすることができる。
これにより、口金取付部に塵埃などの異物が侵入することを一層確実に防ぐことが可能になり、例えば長期間保存中の異物侵入防止機能を向上させることができるという利点がある。
【００１４】
請求項２に係る発明では、サブカバー部材は、カセットガスボンベの装着時に、カセットガスボンベのうち、ガスボンベカバー部材から露出された部位を押さえ付けるように形成されている。
これにより、カセットガスボンベのうち、ガスボンベカバー部材から露出された部位をサブカバー部材で押さえ付けることが可能になり、カセットガスボンベが振動することを防ぐことができるという利点がある。
【発明を実施するための最良の形態】
【００１５】
本発明を実施するための最良の形態を添付図に基づいて以下に説明する。なお、「前」、「後」、「左」、「右」は操作者から見た方向にしたがい、前側をＦｒ、後側をＲｒ、左側をＬ、右側をＲとして示す。
なお、本実施の形態ではガスエンジン搭載型作業機として歩行型耕耘機を例示するが、ガスエンジン搭載型作業機は歩行型耕耘機に限定するものではない。
【００１６】
図１は本発明に係るガスエンジン搭載型作業機を示す側面図である。
ガスエンジン搭載型作業機１０は、ガスエンジン１１の動力を耕耘軸１２に伝達し、耕耘軸１２を回転することにより、複数の耕耘爪１３で土壌を耕耘しながら走行する歩行型耕耘機である。
【００１７】
このガスエンジン搭載型作業機１０は、作業機本体１５の上端部に搭載されたガスエンジン１１と、ガスエンジン１１およびマフラー１６の下方に設けられたフェンダ１７と、フェンダ１７の下方に耕耘軸１２を介して設けられた複数の耕耘爪１３とを備えている。
【００１８】
ガスエンジン１１は、左側にマフラー１６を備えている。
耕耘軸１２は、機体幅方向へ水平に延びた回転軸である。
フェンダ１７は主に、土砂飛散防止を目的としたカバーである。
ガスエンジン１１は、後述するカセットガスボンベ１８から導き出された燃料ガス（燃料）を供給することで駆動するエンジンである。
【００１９】
さらに、ガスエンジン搭載型作業機１０は、作業機本体１５に設けられた支持ブラケット２１と、支持ブラケット２１に設けられた抵抗棒２２と、支持ブラケット２１から後上方へ向けて延出されたハンドルコラムユニット２４と、ハンドルコラムユニット２４に設けられたガスボンベ保持手段２５と、ガスボンベ保持手段２５に取り付けられたカセットガスボンベ１８と、ハンドルコラムユニット２４の上端部に設けられた操作ハンドル２６とを備えている。
抵抗棒２２は、複数の耕耘爪１３による土壌の耕耘深さを調整する部材である。
【００２０】
操作ハンドル２６は、正面視で略Ｕ字状に形成された筒状の部材である（図２参照）。
この操作ハンドル２６は、下端部２６ａがハンドルコラムユニット２４の上端部に回動自在に取り付けられ、下端部２６ａの左右端部から左右のハンドル部２６ｂ，２６ｃが後方に向けて上り勾配に延出され、後端部にそれぞれ左右のグリップ２７，２８が設けられている。
【００２１】
図２は本発明に係るガスエンジン搭載型作業機にカセットガスボンベを取り付けた状態を示す斜視図である。
図２はハンドルコラムユニット２４の昇降コラム３２を上方に延ばして操作ハンドル２６を最上位置に保持した状態を示す。
ハンドルコラムユニット２４は、支持ブラケット２１の後端部２１ａに設けられた固定コラム３１と、固定コラム３１に昇降自在に設けられた昇降コラム３２と、昇降コラム３２を所定位置に保持する保持手段３３とを備えている。
【００２２】
固定コラム３１は、支持ブラケット２１の後端部２１ａに設けられたコラム保持ブラケット３５（図１も参照）と、コラム保持ブラケット３５の左右端に設けられた左右の固定ポスト部３６，３７とを備えている。
左右の固定ポスト部３６，３７は、コラム保持ブラケット３５にそれぞれの下端部が溶接で取り付けられ、所定間隔をおいて互いに平行に配置されている。
左右の固定ポスト部３６，３７は、それぞれが筒状に形成された左右対称のパイプ部材である。左右の固定ポスト部３６，３７に昇降コラム３２が昇降自在に差し込まれている。
【００２３】
昇降コラム３２は、左右の固定ポスト部３６，３７に昇降自在にそれぞれ差し込まれた左右の昇降ポスト部４１，４２と、左右の昇降ポスト部４１，４２の上端部を連結する昇降ポスト連結部４３と、左右の昇降ポスト部４１，４２の上端にそれぞれ架け渡されたハンドル受け部４４と、ハンドル受け部４４に載置された操作ハンドル２６を保持するハンドル保持部材４５とを備えている。
【００２４】
左右の昇降ポスト部４１，４２は、それぞれが筒状に形成された左右対称のパイプ部材である。左右の昇降ポスト部４１，４２の上端にハンドル受け部４４が架け渡されている。
ハンドル受け部４４に操作ハンドル２６の下端部２６ａが載置され、載置された下端部２６ａがハンドル保持部材４５で上側から支えられている。
【００２５】
ハンドル保持部材４５は、昇降ポスト連結部４３にボルト４６，４６・ナット４７，４７（ナット４７は図３参照）で取り付けられている。
これにより、操作ハンドル２６の下端部２６ａが、ハンドル受け部４４とハンドル保持部材４５とで回動自在に支持されている。
【００２６】
図３は本発明に係るガスエンジン搭載型作業機にカセットガスボンベを取り付けた状態を示す断面図である。
図３はハンドルコラムユニット２４の昇降コラム３２を下げて操作ハンドル２６を最下位置に保持した状態を示す。
【００２７】
ハンドル保持部材４５は、左右の昇降ポスト部４１，４２間（左昇降ポスト部４１は図２参照）にロックプレート５１が形成されている。
ロックプレート５１に第１ロック孔５１ａが形成され、第１ロック孔５１ａと同軸上に配置されたロックナット５２がロックプレート５１の下面に溶接されている。
一方、操作ハンドル２６の下端部２６ａにはロック突片５３が張り出されている。このロック突片５３、ロックプレート５１に対向するように張り出され、第２ロック孔５３ａが形成されている。
【００２８】
ロックプレート５１にロック突片５３が重ね合わせられ、第２ロック孔５３ａおよび第１ロック孔５１ａにロック操作ねじ５４が差し込まれている。
第１ロック孔５１ａから突出したねじ部５４ａがロックナット５２にねじ結合されることで、操作ハンドル２６が使用位置に保持されている。
【００２９】
昇降コラム３２は保持手段３３で所定位置（所定高さ）に保持されている。
保持手段３３は、左右の固定ポスト部３６，３７（左固定ポスト部３６は図２参照）の上端部を連結する固定ポスト連結部５７と、固定ポスト連結部５７の略中央に形成された第１保持孔５７ａと、昇降ポスト連結部４３から下方に向けて延出されたスライドプレート６１と、スライドプレート６１に所定間隔をおいて形成された複数の第２保持孔６１ａと、複数の第２保持孔６１ａに対してそれぞれ同軸上に配置された複数の保持ナット６２がスライドプレート６１の裏面に溶接されている。
複数の第２保持孔６１ａは、一例として、上位置、中間位置、下位置の３箇所に形成されている。
【００３０】
図示のように、昇降コラム３２を最下位置に配置することで操作ハンドル２６を最下位置に保持した状態で、上位置の第２保持孔６１ａが第１保持孔５７ａに対して同軸上に配置される。
第１保持孔５７ａおよび第２保持孔６１ａに保持操作ねじ６３が差し込まれ、第２保持孔６１ａから突出したねじ部６３ａが保持ナット６２にねじ結合されることで、昇降コラム３２（すなわち、操作ハンドル２６）が最下位置に保持されている。
【００３１】
なお、昇降コラム３２を中間位置まで引き上げた状態で、中間位置の第２保持孔６１ａが第１保持孔５７ａに対して同軸上に配置される。
よって、保持操作ねじ６３および保持ナット６２で昇降コラム３２（すなわち、操作ハンドル２６）が、最下位置より上方の中間位置に保持される。
【００３２】
また、昇降コラム３２を最上位置まで引き上げた状態で、下位置の第２保持孔６１ａが第１保持孔５７ａに対して同軸上に配置される。
よって、保持操作ねじ６３および保持ナット６２で昇降コラム３２（すなわち、操作ハンドル２６）が、図２に示すように最上位置に保持される。
【００３３】
ハンドルコラムユニット２４には、ガスボンベ保持手段２５が設けられている。
ガスボンベ保持手段２５は、左固定ポスト部３６および右固定ポスト部３７（左固定ポスト部３６は図２参照）間に設けられた口金取付ブラケット７１と、口金取付ブラケット７１に設けられた開閉バルブ７２と、開閉バルブ７２に設けられた口金取付部７３と、口金取付部７３の上方に設けられたガスボンベホルダ７４と、口金取付ブラケット７１に開閉自在に設けられたガスボンベカバー手段７５と、口金取付部７３を開閉可能なシャッター部材７８とを備えている。
【００３４】
開閉バルブ７２は、下部の供給口（図示せず）に液状の燃料ガスを導く燃料流路７６が連通され、左端部に切換ノブ７７が設けられている。
口金取付部７３は、ガスボンベカバー手段７５で覆う空間７９（図５も参照）に設けられ、カセットガスボンベ１８の口金部８１を取り付ける部材である。
この口金取付部７３は、左固定ポスト部３６および右固定ポスト部３７（左固定ポスト部３６は図２参照）間の略中央に配置されている。
なお、口金取付部７３については図４で詳しく説明する。
【００３５】
ガスボンベホルダ７４は、左固定ポスト部３６および右固定ポスト部３７間に設けられ、カセットガスボンベ１８の後側壁に臨む部位に湾曲凹部７４ａ（図５も参照）が形成されている。
ガスボンベホルダ７４の湾曲凹部７４ａでカセットガスボンベ１８の後側壁を受けることで、湾曲凹部７４ａでカセットガスボンベ１８の後側壁が支えられている。
【００３６】
図４は本発明に係るガスボンベ保持手段にカセットガスボンベを取り付ける前の状態を示す斜視図である。
カセットガスボンベ１８は、容器１９内に、ブタンを主成分とする液化ブタン（以下、「液状の燃料ガス」という）を充填した市販のガスボンベである。
このカセットガスボンベ１８は、容器１９の口金部８１にフランジ８２が形成され、フランジ８２に凹み８２ａが形成され、口金部８１からノズル８３が突出されている。
【００３７】
つぎに、カセットガスボンベ１８の口金部８１を口金取付部７３に取り付ける手順を説明する。
まず、シャッター部材７８をコイルばね８６（図３参照）のばね力に抗して図示の位置まで支持軸８５を軸にして引き上げる。
なお、シャッター部材７８については後で詳しく説明する。
【００３８】
シャッター部材７８を引き上げた状態で、カセットガスボンベ１８を下向きにし、口金取付部７３のノズル受入口１１３にノズル８３を合わせるとともに、折曲係止片１１４に凹み８２ａを合わせる。
カセットガスボンベ１８を矢印Ａの如く下方に移動して、口金取付部７３の底部１１５と係止ピン１１６の間にフランジ８２の右側部位が差し込まれるとともに、凹み８２ａが折曲係止片１１４を通過する。
【００３９】
凹み８２ａが折曲係止片１１４を通過することで、フランジ８２の左側部位が折曲係止片１１４の下方に配置され、口金部８１（具体的には、フランジ８２）を底部１１５に当接させることができる。
口金部８１を底部１１５に当接させることで、板ばね１１７の隆起部１１７ａをフランジ８２で底部１１５まで押し下げる。
【００４０】
この状態で、カセットガスボンベ１８を矢印Ｂの如く反時計回り方向に回動することで、凹み８２ａが折曲係止片１１４からずれて、底部１１５と折曲係止片１１４とでフランジ８２の左側部位が挟持される。
よって、フランジ８２の右側部位が底部１１５と係止ピン１１６の間に挟持されるとともに、フランジ８２の左側部位が底部１１５と折曲係止片１１４とで挟持される。
【００４１】
この状態で、カセットガスボンベ１８をさらに継続して略９０°回動することで、フランジ８２の凹み８２ａが板ばね１１７の隆起部１１７ａまで移動する。
フランジ８２による隆起部１１７ａの押下力が解除され、隆起部１１７ａがフランジ８２の凹み８２ａに係止する。
これにより、カセットガスボンベ１８が板ばね１１７で位置決めされた状態で口金取付部７３に取り付けられる。
【００４２】
口金取付部７３に口金部８１が取り付けられることで、ノズル８３が容器１９側に押し込まれる。よって、ノズル８３を介して容器１９の内部が開閉バルブ７２に連通されている。
これにより、開閉バルブ７２の切換ノブ７７を切り換えることで、カセットガスボンベ１８の容器１９内に蓄えられた液状の燃料ガスが燃料流路７６を経てガスエンジン１１（図１参照）に導かれる。
【００４３】
図２に戻って、ガスボンベカバー手段７５は、左右の固定ポスト部３６，３７間に、左右の固定ポスト部３６，３７に沿って配置され、カセットガスボンベ１８の略下半分部位１８ｂ（図３参照）を覆うとともに、カセットガスボンベ１８を支える部材である。
【００４４】
このガスボンベカバー手段７５は、口金取付ブラケット７１に開閉自在に支持されたメインカバー部材（ガスボンベカバー部材）９１と、メインカバー部材９１を閉位置にロックするロック機構９２と、メインカバー部材９１の上端部に開閉自在に支持されたサブカバー部材９３とを備えている。
【００４５】
メインカバー部材９１は、ガスボンベホルダ７４に対向する位置に配置され、下端部９１ａが左右の支持ピン９５（図３参照）を介して口金取付ブラケット７１に回動自在に支持されている。
換言すれば、メインカバー部材９１は、カセットガスボンベ１８の近傍に開閉自在に設けられ、閉じた状態でカセットガスボンベ１８の略下半分部位（カセットガスボンベの一部）１８ｂ（図３参照）を覆うとともに口金取付部７３（図３参照）を覆う部材である。
【００４６】
このメインカバー部材９１は、前壁９７と、前壁９７の左側辺に形成された左側壁９８と、前壁９７の右側辺に形成された右側壁９９とを備えている。
前壁９７は、略平板状に形成された下半分部位と、下半分部位の下端から後方に折り曲げられた折曲片と、下半分部位の上端から後方に湾曲状に延出された上半分部位とを有する。
【００４７】
前壁９７の上半分部位に開口部１０１（図５参照）が形成され、かつ、開口部１０１の近傍に左右の支え突片１０２が突出されている。
開口部１０１は、カセットガスボンベ１８の略上半分部位（露出された部位）１８ａを上方に突出させる開口である。
すなわち、カセットガスボンベ１８の略上半分部位１８ａは、メインカバー部材９１の外部に露出している。
【００４８】
メインカバー部材９１を、カセットガスボンベ１８の略下半分部位１８ｂ（図３参照）を覆う構成とすることで、メインカバー部材９１でカセットガスボンベ１８の全体を覆う必要がない。
これにより、メインカバー部材９１の簡素化を図ることができる。
【００４９】
サブカバー部材９３は、外形が略矩形状に形成され、下端部９３ａが左右の支え突片１０２に左右の支えピン１０３を介して回動自在に支持されている。
サブカバー部材９３は、左支えピン１０３に取り付けられたコイルばね１０４で前壁９７の開口部１０１を閉じる方向に付勢されている。
【００５０】
さらに、サブカバー部材９３は、上端部９３ｂが、カセットガスボンベ１８の略上半分部位１８ａに広範囲に接触するように湾曲状に形成されている。
よって、コイルばね１０４のばね力を利用して、湾曲状の上端部９３ｂの全域でカセットガスボンベ１８を押さえ付けることができる。
これにより、ガスエンジン搭載型作業機１０（図１参照）の作業中に発生すると考えられるカセットガスボンベ１８の振動を、サブカバー部材９３で良好に抑えることが可能になる。
【００５１】
ロック機構９２は、左側壁９８にスライド自在に取り付けられたスライドノブ１１１を備えている。
このスライドノブ１１１をスライド移動することで、ロック機構９２のロック状態が解除され、メインカバー部材９１を開くことができる。
【００５２】
図３に戻って、シャッター部材７８は、外形が略矩形状に形成され（図４参照）、下端部７８ａが支持軸８５に支えられることで、支持軸８５を介して口金取付ブラケット７１に回動自在に支持されている。
【００５３】
支持軸８５は、左右の端部がそれぞれ左右の固定ポスト部３６，３７（左固定ポスト部３６は図２参照）に設けられている。
支持軸８５にはコイルばね８６が設けられている。このコイルばね８６は、シャッター部材７８を反時計回り方向、すなわち口金取付部７３を塞ぐ方向に付勢している。
【００５４】
よって、カセットガスボンベ１８の口金部８１を口金取付部７３に取り付けた状態において、シャッター部材７８の先端部７８ｂをコイルばね８６のばね力でカセットガスボンベ１８を押さえ付けることができる。
これにより、ガスエンジン搭載型作業機１０の作業中に発生すると考えられるカセットガスボンベ１８の振動を、シャッター部材７８で良好に抑えることが可能になる。
【００５５】
図５は本発明に係るガスエンジン搭載型作業機からカセットガスボンベを外した状態を示す斜視図、図６は本発明に係るガスエンジン搭載型作業機からカセットガスボンベを外した状態を示す断面図である。
図５はハンドルコラムユニット２４の昇降コラム３２を上方に延ばして操作ハンドル２６を最上位置に保持した状態を示し、図６はハンドルコラムユニット２４の昇降コラム３２を下げて操作ハンドル２６を最下位置に保持した状態を示す。
【００５６】
サブカバー部材９３は、前述したように、コイルばね１０４でメインカバー部材９１の開口部１０１を閉じる方向に付勢されている。
よって、サブカバー部材９３は、カセットガスボンベ１８（図２参照）の未装着状態において、メインカバー部材９１の開口部１０１をコイルばね１０４のばね力で閉じた状態に保たれる。
これにより、メインカバー部材９１で覆った空間７９を塞ぐことができ、口金取付部７３に塵埃などの異物が侵入することを防ぐことができる。
【００５７】
シャッター部材７８は、前述したように、コイルばね８６で口金取付部７３を塞ぐ方向に付勢されている。
よって、シャッター部材７８は、カセットガスボンベ１８の未装着状態において、口金取付部７３の受台１１２（図４も参照）にコイルばね８６のばね力で当接される。
これにより、受台１１２に形成されたノズル受入口１１３（図４参照）をシャッター部材７８で塞ぐことができる。
【００５８】
このように、サブカバー部材９３でメインカバー部材９１で覆った空間７９を塞ぐとともに、シャッター部材７８でノズル受入口１１３を塞ぐことが可能になり、ノズル受入口１１３を塞ぐ構成を２重構造とすることができる。
したがって、口金取付部７３のノズル受入口１１３に塵埃などの異物が侵入することを一層確実に防ぐことが可能になり、例えば長期間保存中の異物侵入防止機能を向上させることができる。
【００５９】
なお、前記実施の形態では、シャッター部材７８で口金取付部７３のノズル受入口１１３を塞ぐ手段としてコイルばね８６を利用する例について説明したが、これに限らないで、モータなどの他の手段を用いることも可能である。
さらには、ノズル受入口１１３を塞いだ位置にシャッター部材７８を係止する係止手段を用いることも可能である。
【００６０】
また、前記実施の形態で例示したメインカバー部材９１、サブカバー部材９３やシャッター部材７８などの形状は例示したものに限定するものではなく適宜変更が可能である。
【産業上の利用可能性】
【００６１】
本発明は、カセットガスボンベから燃料供給を受けるガスエンジンを搭載したガスエンジン搭載型作業機への適用に好適である。
【図面の簡単な説明】
【００６２】
【図１】本発明に係るガスエンジン搭載型作業機を示す側面図である。
【図２】本発明に係るガスエンジン搭載型作業機にカセットガスボンベを取り付けた状態を示す斜視図である。
【図３】本発明に係るガスエンジン搭載型作業機にカセットガスボンベを取り付けた状態を示す断面図である。
【図４】本発明に係るガスボンベ保持手段にカセットガスボンベを取り付ける前の状態を示す斜視図である。
【図５】本発明に係るガスエンジン搭載型作業機からカセットガスボンベを外した状態を示す斜視図である。
【図６】本発明に係るガスエンジン搭載型作業機からカセットガスボンベを外した状態を示す断面図である。
【符号の説明】
【００６３】
１０…ガスエンジン搭載型作業機、１１…ガスエンジン、１５…作業機本体、１８…カセットガスボンベ、１８ａ…カセットガスボンベ１８の略上半分部位（露出された部位）、１８ｂ…カセットガスボンベの略下半分部位（カセットガスボンベの一部）、７３…口金取付部、７５…ガスボンベカバー手段、７８…シャッター部材、７９…空間、８１…口金部、９１…メインカバー部材（ガスボンベカバー部材）、９３…サブカバー部材。
【図１】
0004789909.tif 000002
【図２】
0004789909.tif 000003
【図３】
0004789909.tif 000004
【図４】
0004789909.tif 000005
【図５】
0004789909.tif 000006
【図６】
0004789909.tif 000007